(57)【要約】      （修正有）【課題】ケーブル固定金具（クリート）の形状や構造、又はクリート構成部材の組み合わせ等を改良することにより、ケーブルとりわけ絶縁ケーブルに対する変形や損傷を回避することが可能なケーブル固定金具を提供する。【解決手段】円弧状のケーブル保持部を有する台座部１０と、この台座部１０に組み合わされる円弧状のクランプ部２０とを備え、台座部１０及びクランプ部２０は、各端部にボルト挿通孔を有する締付け部を対置させて設けたケーブル固定金具１００であって、台座部１０のケーブル保持部から次第に末広がりに形成されたベロー部２を設ける。【選択図】図９
0003190553.tif 000002
【実用新案登録請求の範囲】
【請求項１】
円弧状のケーブル保持部を有する台座部と、この台座部に組み合わされる円弧状のクランプ部とを備え、前記台座部及びクランプ部は、各端部にボルト挿通孔を有する締付け部を対置させて設けたケーブル固定金具であって、前記台座部のケーブル保持部から次第に末広がりに形成されたベロー部を設けたことを特徴とするケーブル固定金具。
【請求項２】
前記請求項１において、前記ベロー部が、前記ケーブル保持部のいずれかの端部に１つ又は前記ケーブル保持部の端部の双方に２つ設けられていることを特徴とするケーブル固定金具。
【請求項３】
前記請求項１において、前記ベロー部が、前記ケーブル保持部のいずれかの端部に１つ設けられている１つベロー部付きの第１の台座部と、前記ケーブル保持部の端部の双方に２つ設けられている２つベロー部付きの第２の台座部とを用意し、前記第１の台座部と前記第２の台座部のいずれかを選択して、当該選択した第１又は第２のいずれかの台座部に前記クランプ部を締付け固定したことを特徴とするケーブル固定金具。
【考案の詳細な説明】
【技術分野】
【０００１】
本考案は、主に絶縁ケーブルを固定するケーブル固定金具に関し、ケーブルの絶縁外皮の変形や損傷を回避することの可能なケーブル固定金具に関する。
【背景技術】
【０００２】
一般に、電力の送・配電には絶縁された電力ケーブル（以下、単に「ケーブル」と称する。）が用いられており、その敷設場所としては、地下洞道のライフライン、ケーブルトンネル、コンクリートケーブルトラフやＵ型トラフ、ケーブルトレンチ等の中に配設され、整線されて固定されている。
【０００３】
これらのケーブルの固定金具（以下、「クリート」と称することもある。）は、アルミ、グラスファイバー、ＦＲＰ等の絶縁材料が用いられており、これらのクリートによって、ケーブルを堅固に固定している。
【０００４】
この種のケーブル固定金具において、例えば実公平７−６６６６号公報（特許文献１）の第３図に記載されている環状の固定金具（クリート）が知られている。この固定金具は、図１１に示すように、二つ割りの部材で固定金具１６が構成され、各端部に突設したボルト挿通孔を有する締付け部２０を対置させ、これらを両側からボルト及び蝶ナット２１により締付けて、図示を省略したケーブルを固定するものである。尚、同図において、符号２２は細溝である。この特許文献１においては、図示を省略した所定の表示板を、上記細溝２２で保持する構造を備えているが、固定金具の構造上、この細溝２２は必須の構成要素ではない。
【０００５】
ところで、ケーブルのクリートは、ケーブルの脱落下や、電気的短絡事故等によって生じ得る、ケーブル・クリート間の大きな電磁機械力による双方の変形、変位、損傷等を阻止する必要がある。
【０００６】
また、ケーブルは、電圧と電流の大小により自重が異なり、従って、クリートに加わる力も異なる。更に、ケーブルには常に電流が流れており、この電流による発熱や、周囲の温度変化によっても、ケーブル・クリート間に摩擦を生じさせ得ることとなる。
【先行技術文献】
【特許文献】
【０００７】
【特許文献１】実公平７−６６６６号公報
【考案の概要】
【考案が解決しようとする課題】
【０００８】
上述したように、ケーブルとクリート間には、相互に力が付加され、また、摩擦を生じることが多くなり、場合によってはケーブルの絶縁外皮に損傷を与えて、絶縁機能を破壊する等、不測の事態を生じて、電力の安定供給を阻害する要因となるものである。
【０００９】
また、一般的なクリートは、前記特許文献１に見るような二つ割りの部材で構成されており、そして、上述したようなケーブル・クリート間の摩擦等により、クリートの角部（エッジ）でケーブルの絶縁外皮を損傷する不具合を生じている。
【００１０】
そこで、本考案は、クリートの形状や構造、又はクリート構成部材の組み合わせ等を改良することにより、上記不具合を解消することができるケーブル固定金具を提案するものである。
【課題を解決するための手段】
【００１１】
本願第１請求項に記載した考案は、円弧状のケーブル保持部を有する台座部と、この台座部に組み合わされる円弧状のクランプ部とを備え、前記台座部及びクランプ部は、各端部にボルト挿通孔を有する締付け部を対置させて設けたケーブル固定金具であって、前記台座部のケーブル保持部から次第に末広がりに形成されたベロー部を設けたことを特徴とするケーブル固定金具である。
【００１２】
本願第２請求項に記載した考案は、前記請求項１において、前記ベロー部が、前記ケーブル保持部のいずれかの端部に１つ、又は、前記ケーブル保持部の端部の双方に２つ、設けられていることを特徴とするケーブル固定金具である。
【００１３】
本願第３請求項に記載した考案は、前記請求項１において、前記ベロー部が、前記ケーブル保持部のいずれかの端部に１つ設けられている１つベロー部付きの第１の台座部と、前記ケーブル保持部の端部の双方に２つ設けられている２つベロー部付きの第２の台座部とを用意し、前記第１の台座部と前記第２の台座部のいずれかを選択して、当該選択した第１又は第２のいずれかの台座部に前記クランプ部を締付け固定したことを特徴とするケーブル固定金具である。
【考案の効果】
【００１４】
本考案に係るケーブル固定金具（クリート）は、前記台座部のケーブル保持部から次第に末広がりに形成されたベロー部を設けているので、従来生じていたケーブルの損傷を可及的に回避することができるようになる。
【００１５】
即ち、ケーブルの自重を受けるのは台座部であり、そして前述したように、この台座部にケーブル間で繰り返し伸縮の力が働き、従来は台座部の角部（エッジ）にてケーブルの絶縁外皮に損傷を受けるものであった。この点、本案の場合、前記ベロー部を設けているので、ケーブルの絶縁外皮に加わる外力を分散させることができ、これにより、ケーブルの損傷、とりわけ絶縁外皮の亀裂等の損傷を回避することが可能となったものである
【００１６】
このベロー部は、これを設けることにより、クリートの台座部に角部を形成することがないので、まず以って、台座部の角部により不可避的に生じていた応力集中をなくすことができるという作用効果を奏するものである。
【００１７】
また、本考案の請求項２のように、前記ベロー部が、前記台座部のいずれかの端部に１つ、又は、前記台座部の端部の双方に２つ、設けられているケーブル固定金具によれば、クリートの設置場所によって広狭異なる場合に、ベロー部が１つ設けられている台座部と、２つ設けられている台座部とを、その場所に応じて、選択して使用することができる。
【００１８】
従って、このような選択使用の前提として、本考案の請求項３のように構成することで、２つベロー部付きの第１の台座部と、１つベロー部付きの第２の台座部とを用意し、そして、前記第１の台座部と前記第２の台座部のいずれかを選択して、当該選択した第１又は第２のいずれかの台座部に前記クランプ部を締付け固定することにより、設置場所に適したクリープの使用態様を得ることができる。
【００１９】
また、１つベロー部付きの第２の台座部は、場合によって、設置の位置を１８０度転回させて使用することにより、つまり、台座部を左右方向、又は、前後方向もしくは上下方向に設置する場合に、ベローを左右のどちらか、又は、前後のどちらか、もしくは、上下のどちらかに位置させて使用することにより、より一層異なる設置態様に対応することが可能となる。
【００２０】
このように、本考案のケーブル固定金具によれば、ベロー付きの台座部を使用することにより、ケーブルの損傷が避けられて、保守点検が容易となり、電力の長期安定供給に寄与することができることになる。
【００２１】
更に、２つベロー部付きの第１の台座部と、１つベロー部付きの第２の台座部とを用意し、そして、これらを選択使用することにより、設置場所に適したクリープの使用態様を得ることができる。
【図面の簡単な説明】
【００２２】
【図１】本考案の実施例に係り、ケーブル固定金具の外観斜視図である。
【図２】本考案の実施例に係り、ベロー部付き台座部の外観斜視図である。
【図３】本考案の実施例に係り、ベロー部付き台座部の底面斜視図である。
【図４】本考案の実施例に係り、クランプ部の外観斜視図である。
【図５】本考案の実施例に係り、クランプ部の底面斜視図である。
【図６】本考案の実施例に係り、２つベロー部付き台座部の平面図である。
【図７】本考案の実施例に係り、１つベロー部付き台座部の平面図である。
【図８】本考案の実施例に係り、ケーブル固定金具の取付け状態を示す側面図である。
【図９】本考案の実施例に係り、ケーブル固定金具の取付け状態を示す正面図である。
【図１０】本考案の実施例に係り、ケーブル固定金具の取付け状態を示す底面図である。
【図１１】従来の固定金具（クリープ）を示す斜視図である。
【考案を実施するための最良の形態】
【００２３】
以下に、本考案の実施例を図面に基づいて詳細に説明する。本例のケーブル固定金具（クリープ）は、例えば、アルミダイキャスト製の絶縁部材を用いた円弧状のケーブル保持部１を有する台座部１０と、この台座部１０に組み合わされる絶縁部材たる円弧状のクランプ部２０とを備え、台座部１０及びクランプ部２０は、各端部にボルト挿通孔１０ａ，２０ａを有する締付け部１０ｂ，２０ｂを対置させて設けたケーブル固定金具１００である。そして、台座部１０のケーブル保持部１には、ベロー部２を設けている。
【００２４】
本例の台座部１０は、ケーブル保持部１の左右に２つのベロー部２を設けている。このベロー部２は、ケーブル保持部１から次第に末広がりに形成されている。また、ケーブル保持部１とクランプ部２０には、複数の凹凸条を設けて、これらによるケーブル３０の把持・固定を堅固にしている。尚、前記締付け部１０ｂ，２０ｂのボルト挿通孔１０ａ，２０ａには、ボルトを挿通してナットで締付けて、ケーブル３０を固定する。
【００２５】
このように、本考案に係るケーブル固定金具（クリート）は、台座部１０のケーブル保持部１から次第に末広がりに形成されたベロー部２を設けているので、台座部の角部（エッジ）にてケーブル３０の絶縁外皮に損傷を与えていた従来のクリートに比べ、ケーブル３０の絶縁外皮に加わる外力を分散させることができ、これにより、ケーブル３０の損傷、とりわけ絶縁外皮の亀裂等の損傷を回避することが可能となった。
【００２６】
また、本考案者の考察によると、台座部１０にベロー部２を設けることにより、台座部１０の円弧状のケーブル保持部１において、その円弧状の部分に、経時的にケーブルを保持する方向に内部応力が付加されていることが認められた。
【００２７】
以上の実施例は、ベロー部２が、台座部１０のケーブル保持部１の端部の双方に２つ、設けられているもの（図６）、つまり、２つベロー部付きの第１の台座部のみならず、ケーブル保持部１のいずれかの端部に１つ、設けられているもの（図７）、つまり、１つベロー部付きの第２の台座部を使用することもできる。即ち、図７に示す１つベロー部付きの第２の台座部は、当該台座部の左右長さを小さくできるので、例えば、クリープを設置する場所が狭い場合に使用するとよい。このように、２つベロー部付きの第１の台座部と、１つベロー部付きの第２の台座部とを用意し、そして、これらを選択使用することにより、設置場所に適したクリープの使用態様を得ることができる。
【００２８】
また、本考案に係るケーブル固定金具１００は、台座部１０の下端に、ケーブル保持部１と直行する方向に２つの固定用ボルト孔３が設けられている。尚、ケーブル３０を並列に配置する場合は、図８〜図１０に示すように、支持架台４０に当該台座部１０を並列配置して、図示を省略したボルトを、台座部１０の固定用ボルト孔３に挿通して、支持架台４０に固定する。
【００２９】
以上のように、本考案のケーブル固定金具によれば、ベロー付きの台座部を使用することにより、ケーブルの損傷が避けられて、保守点検が容易となり、電力の長期安定供給に寄与することができることになる。従って、本考案は、上述した実施例のものに限られずに、本考案の目的、作用効果を奏し得る適宜の構成に及ぶものである。
【産業上の利用可能性】
【００３０】
本考案のケーブル固定金具は、絶縁ケーブルはもとより、その他適宜のケーブルのクリープとして好適に利用することができるものである。
【符号の説明】
【００３１】
１    ケーブル保持部
２    ベロー部
３    ボルト孔
１０    台座部
１０ａ    ボルト挿通孔
１０ｂ    締付け部
２０    クランプ部
２０ａ    ボルト挿通孔
２０ｂ    締付け部
３０    ケーブル
４０    支持架台
１００    ケーブル固定金具
【図１】
0003190553.tif 000003
【図２】
0003190553.tif 000004
【図３】
0003190553.tif 000005
【図４】
0003190553.tif 000006
【図５】
0003190553.tif 000007
【図６】
0003190553.tif 000008
【図７】
0003190553.tif 000009
【図８】
0003190553.tif 000010
【図９】
0003190553.tif 000011
【図１０】
0003190553.tif 000012
【図１１】
0003190553.tif 000013